(57)【要約】  ゴルフクラブヘッド（２０）は、前壁（３０）又はクラブヘッド（２０）の打撃板（４０）に向かって比較的前方に重心が位置し、クラブヘッド（２０）の重心を介してＩｙｙ軸に対する比較的高い慣性モーメントを有する。ゴルフクラブヘッド（２０）は、望ましくは３００立方センチメートル乃至５００立方センチメートルの容積を有する。ゴルフクラブヘッド（２０）は、望ましくは１０５グラム乃至３００グラムの重量を有する。クラブヘッド（２０）の重心の位置及び重心を介する比較的高い慣性モーメントＩｙｙは、より大きな強固性及びより良いパフォーマンスをもたらす。
2007500066.tif 000002
【特許請求の範囲】
【請求項１】
クラウンと、ソールと、開口部を備えた前壁と、前記開口部と反対の位置に外部凹み部を備えたリボンとを備え、重ねられたプリプレグから成るボディと、
前記開口部内に位置され、金属材料から成り、４０乃至８０グラムの範囲の重量を有する打撃板インサートと、
前記リボンの凹み部内に位置され、３０乃至６０グラムの範囲の重量を有し、金属材料から成る重量部材と、を含むゴルフクラブヘッドであって、
当該ゴルフクラブヘッドは、打撃板の内部表面から１．２７インチ未満に位置する重心を有し、
当該ゴルフクラブヘッドの前記重心を通ってＩｙｙ軸についての慣性モーメントは、２４００グラム−平方センチメートルよりも大きいことを特徴とするゴルフクラブヘッド。
【請求項２】
請求項１記載のゴルフクラブヘッドであって、
前記打撃板インサートは、形成された金属材料から成ることを特徴とするゴルフクラブヘッド。
【請求項３】
請求項１記載のゴルフクラブヘッドであって、
前記打撃板インサートは、鍛造金属材料、形成された金属材料、機械加工された金属材料、及び鋳造金属材料から成る群から選択された材料から成ることを特徴とするゴルフクラブヘッド。
【請求項４】
請求項１記載のゴルフクラブヘッドであって、
前記ボディは、５０乃至９０グラムの範囲の重量を有することを特徴とするゴルフクラブヘッド。
【請求項５】
請求項１記載のゴルフクラブヘッドであって、
前記ゴルフクラブヘッドの前記Ｉｙｙ軸についての慣性モーメントは、３０００グラム−平方センチメートルよりも大きいことを特徴とするゴルフクラブヘッド。
【請求項６】
請求項１記載のゴルフクラブヘッドであって、
前記打撃板インサートは、チタン、チタン合金、鋼鉄合金及びアモルファス金属から成る群から選択された材料から成ることを特徴とするゴルフクラブヘッド。
【請求項７】
請求項１記載のゴルフクラブヘッドであって、
前記重量部材は、鋼鉄、ブラス、タングステン、銅、及びこれらの合金から成る群から選択された材料から成ることを特徴とするゴルフクラブヘッド。
【請求項８】
クラウンと、ソールと、打撃板とを含むゴルフクラブヘッドであって、
当該ゴルフクラブヘッドは、打撃板の内部表面から１．２７インチ未満に位置する重心を有し、
当該ゴルフクラブヘッドの前記重心を通ってＩｙｙ軸についての慣性モーメントは、２４００グラム−平方センチメートルよりも大きいことを特徴とするゴルフクラブヘッド。
【請求項９】
クラウンと、ソールと、打撃板とを含むゴルフクラブヘッドであって、
当該ゴルフクラブヘッドは、打撃板の内部表面から１．３７インチ未満に位置する重心を有し、
当該ゴルフクラブヘッドの前記重心を通ってＩｙｙ軸についての慣性モーメントは、２４００グラム−平方センチメートルよりも大きいことを特徴とするゴルフクラブヘッド。
【請求項１０】
クラウンと、ソールと、打撃板とを含むゴルフクラブヘッドであって、
当該ゴルフクラブヘッドは、打撃板の内部表面から１．４７インチ未満に位置する重心を有し、
当該ゴルフクラブヘッドの前記重心を通ってＩｙｙ軸についての慣性モーメントは、２５００グラム−平方センチメートルよりも大きいことを特徴とするゴルフクラブヘッド。
【請求項１１】
請求項１０記載のゴルフクラブヘッドであって、
前記クラウンと前記ソールは、重ねられたプリプレグから成り、前記打撃板インサートは金属材料から成ることを特徴とするゴルフクラブヘッド。
【請求項１２】
請求項１１記載のゴルフクラブヘッドであって、
リボンと、前記打撃板インサートと反対の前記リボンにおける外部凹み部中に設けられた後重量部材と、を更に含むことを特徴とするゴルフクラブヘッド。
【請求項１３】
請求項１０記載のゴルフクラブヘッドであって、
当該ゴルフクラブヘッドの前記重心を通ってＩｙｙ軸についての慣性モーメントは、２５５０乃至３０００グラム−平方センチメートルの範囲にあることを特徴とするゴルフクラブヘッド。
【請求項１４】
請求項１０記載のゴルフクラブヘッドであって、
当該ゴルフクラブヘッドの前記重心を通ってＩｙｙ軸についての慣性モーメントは、２６００乃至３０００グラム−平方センチメートルの範囲にあることを特徴とするゴルフクラブヘッド。
【請求項１５】
請求項１０記載のゴルフクラブヘッドであって、
当該ゴルフクラブヘッドの前記重心を通ってＩｙｙ軸についての慣性モーメントは、２８００乃至３２００グラム−平方センチメートルの範囲にあることを特徴とするゴルフクラブヘッド。
【請求項１６】
請求項１０記載のゴルフクラブヘッドであって、
前記打撃板インサートの内部表面から１．４５インチ乃至０．８７インチに位置する重心を有することを特徴とするゴルフクラブヘッド。
【請求項１７】
請求項１０記載のゴルフクラブヘッドであって、
前記打撃板インサートの内部表面から１．２７インチ乃至０．９０インチに位置する重心を有することを特徴とするゴルフクラブヘッド。
【請求項１８】
請求項１０記載のゴルフクラブヘッドであって、
前記打撃板インサートの内部表面から１．２０インチ乃至０．９５インチに位置する重心を有することを特徴とするゴルフクラブヘッド。
【請求項１９】
クラウンと、ソールと、開口部を備えた前壁と、前記開口部と反対の位置に外部凹み部を備えたリボンとを備え、重ねられたプリプレグから成るボディと、
前記開口部内に位置され、金属材料から成り、０．０４０乃至０．２５０インチの範囲の均一な厚さを備え、鋼鉄合金材料から成り、４０乃至８０グラムの範囲の重量を有する打撃板インサートと、
前記リボンの凹み部内に位置され、３０乃至６０グラムの範囲の重量を有し、タングステン合金材料から成る重量部材と、を含むゴルフクラブヘッドであって、
当該ゴルフクラブヘッドは、０．８２乃至０．８９の反発係数を有し、
当該ゴルフクラブヘッドは、３６０乃至４５０立方センチメートルの範囲の容積を有し、
当該ゴルフクラブヘッドは、１９０乃至２２５グラムの範囲の重量を有し、
当該ゴルフクラブヘッドの前記重心を通ってＩｚｚ軸についての慣性モーメントは、３０００グラム−平方センチメートルよりも大きく、
当該ゴルフクラブヘッドは、打撃板の内部表面から１．２７インチ未満に位置する重心を有し、
当該ゴルフクラブヘッドの前記重心を通ってＩｙｙ軸についての慣性モーメントは、２５００グラム−平方センチメートルよりも大きいことを特徴とするゴルフクラブヘッド。
【請求項２０】
金属材料から成り、打撃板部とソール延出を有するリターン部とを備えたフェイスコンポーネントと、
非金属材料から成り、クラウン部と、ソール部と、リボン部とを備え、前記フェイスコンポーネントの前記リターン部に取り付けられたアフトボディと、を有し、
前記打撃板部は、０．０１０乃至０．２５０インチの範囲の厚さを有し、
前記リターン部は、０．０１０乃至０．２５０インチの範囲の厚さを有し、
前記リターン部は、前記打撃板部の周囲から０．２５乃至１．５インチの範囲の長さ延出しており、
当該ゴルフクラブヘッドは、打撃板の内部表面から１．２７インチ未満に位置する重心を有し、
当該ゴルフクラブヘッドの前記重心を通ってＩｙｙ軸についての慣性モーメントは、２４００グラム−平方センチメートルよりも大きいことを特徴とするゴルフクラブヘッド。
【発明の詳細な説明】
【技術分野】
【０００１】
本発明は、前方に重心が設けられ、重心を介してＩｙｙ軸に対する比較的高い慣性モーメントを有するゴルフクラブヘッドに関する。
【背景技術】
【０００２】
ドライバーゴルフクラブヘッドの容積が大きくなるにつれて（３００立方センチメートルよりも大きい）、ドライバーの慣性モーメントは多きくなり、それにより中心からずれた打撃も可能となった。ゴルフクラブヘッドの拡大の従来の方法は、３つの直交方位における重量の空間的分布を最大化することであった。この方法は、ゴルフクラブヘッドの慣性モーメントを増加させる点では効果的であったが、ゴルフクラブヘッドの重心を実質的にゴルフクラブヘッドのフェイス中心から後方へと位置づけることをもたらした。
【０００３】
重心がフェイスから後方へ位置づけられると、ゴルフクラブヘッドのスィートスポットから中心が外れた打撃という欠点を招く。ギア効果の増加が欠点の主たる要因となってしまう。ヒール方向又は前方向への中心から外れた打撃のために、増加したギア効果は、サイドスピンの増加をもたらす。サイドスピンは、十分でないキャリー長さ又は飛行時間を有する望ましくない弾道をまねき、これらは飛行距離の減少及び強固性の減少をもたらす。
【０００４】
更には、従来のゴルフクラブヘッドは、最大フェイス領域に関し、物理的及び実際的に制限があった。物理的制限は、ゴルフクラブヘッドの長さ及び厚さを増加し、ゴルフクラブヘッドの望ましい全重量の上限を超えることなくフェイスの大きさを増加するには不十分なゴルフクラブヘッドの重量に因るものである。このような重量分布は、許容可能な現在の耐久性を得るのに要求される最小厚さの値に基づくものである。
【０００５】
実際的な制限は、フェイスの大きさが大きくなるにつれて、フェイス周辺の周りのある領域における打撃位置が、より大きなフェイスのために目立つことになる上述の欠点に因り不十分なボールの飛行を招くことである。前記欠点は、フェイス中心からの距離が増加するにつれて非線形に増加し、フェイスの大きさの増加によって得られる増加フェイス領域が最も悪い効果をもたらす。これは、クラブ長さが長くなるにつれてフェイス領域を横切る予想打撃分布を拡張するため、クラブの実際上の長さを制限するものである。より長いクラブは、悪い効果が生じるフェイスの周辺領域内における打撃の可能性の増加をまねく。これは、ヘッドスピードの増加という利点をオフセットするものである。クラブ長の増加はヘッドスピードの増加をもたらす。最大約５２インチの長さのときに、空気力学及び生物力学的効果は、長さ効果をオフセットする。
【０００６】
更には、重心がフェイスから実質上後方に位置する従来のヘッド設計は、大きな力学的ロフト効果という望ましくない効果をもたらす。力学的ロフトは、ヘッドスピードの増加をもたらし、高ヘッドスピードを有するゴルファーは、低ヘッドスピードを有するゴルファーよりも大きな力学的ロフトを経験する。これは、高ヘッドスピードは一般的にロフトを殆ど要求しないことと反対のことである。過剰なバックスピンが発生し、これは弾道およびパフォーマンスに悪い影響を与える。
【０００７】
重心深さに関する発明が、Ｋａｊｉｔａの米国特許第６，３４４，００２号「ウッドクラブヘッド」に示されている。Ｋａｊｉｔａの発明は、フェイスから３０ｍｍ（１．１８インチ）以下の重心を有するゴルフクラブヘッドを開示する。しかしながら、Ｋａｊｉｔａの発明は、水平軸に関する高慣性モーメントを示していない。
【０００８】
Ｖｉｎｃｅｎｔらの米国特許第６，１４６，５７１号は、溶融可能なコアに添えられるインサートにプラスチックのような材料を射出して壁部を得るゴルフクラブヘッドの製造方法を開示する。コアは、射出可能なプラスチック材料よりも低い融点を有するため、
コアが取り除かれると、内部キャビティを形成するために内部容積が維持される。インサートは、コアの取り除きにつき、シェルの前壁部の内部を補強するための抵抗要素を含んでもよく、補強要素は鋼鉄からなる側面に延出している部分を有するアルミニウムからなる。
【０００９】
Ｐｅｔｅｒｓらの米国特許第６，１４９，５３４号は、単一の平面インターフェイスに沿って形成された上部及び下部金属かみ合い面を有するゴルフクラブヘッドを開示し、下部面の金属は、上部面の金属よりも重くより密集している。
【００１０】
Ｒｉｇａｌらの米国特許第５，５７０，８８６号及び米国特許第５，５４７，４２７号は、耐衝撃性金属封止要素によって定められた打撃面を備えたモールドされた熱可塑性プラスチックのゴルフクラブヘッドを開示する。封止要素はクラブヘッドの打撃面の前壁部を定め、クラブヘッドへのシャフトの取り付けのための首部を形成するために、衝撃面の側に沿って上向きに伸びている。封止要素は望ましくは、２．５ｍｍ乃至５ｍｍであるとされている。
【００１１】
Ｖｉｎｃｅｎｔらの米国特許第５，４２５，５３８号は、鋼鉄のシェル及び幾つもの編まれて積み重なれた繊維のウエブからなる混成の打撃面を備えた中空ゴルフクラブヘッドを開示する。
【００１２】
Ｖｉｏｌｌａｚらの米国特許第５，３７７，９８６号は、金属板のシリーズから成るボディと、プラスチック又は混成材料から成る打撃板を備えたゴルフクラブヘッドを開示する。打撃板は、前方に向かって凸形状を有している。
【００１３】
更には、Ｖｉｏｌｌａｚらの米国特許第５，３１０，１８５号は、金属板のシリーズから成るボディ、プラスチック又は混成物から成る打撃板に取り付けられている前打撃面上に位置づけられた金属支持板から成る中空ゴルフクラブヘッドを開示する。金属支持板は、打撃板の前方に向かって凸形状を有する前板と後方に向かって凸形状を有する後板とを有し、これにより、前方に向かって凸形状の打撃面が形成される。
【００１４】
Ｄｅｓｂｏｉｌｌｅｓらの米国特許第５，１０６，０９４号は、金属打撃フェイス板を有するゴルフクラブヘッドを開示する。打撃面板は、クラブヘッドの内部部分において多量のフィラー材料を有するゴルフクラブヘッドに取り付けられた別のユニットである。
【００１５】
Ｋｕｒａｈａｓｈｉの米国特許第４，５６８，０８８号は、ウッドとプラスチックの混成材料の複合材によって補強されているウッドクラブヘッドボディを開示する。ウッドとプラスチックの混成材料は不均一に分布され、５ｍｍ乃至１５ｍｍの範囲においては高密度となっており、クラブヘッドの前面と実質的に平行に延出している。
【００１６】
Ｍａｄｅｒの米国特許第４，０２１，０４７号は、ソール板、フェイス板、ヒール、トゥー、ホーゼル部が、単一の鋳造金属ピースとして形成されているゴルフクラブを開示する。木製又は混成のクラウンがこの単一ピースに取り付けられ、中空室がクラブヘッドに形成されている。
【００１７】
Ｌｏらの米国特許第５，６２４，３３１号は、ヘッドの金属鋳造が少なくとも２つの開口部を有する中空金属ゴルフクラブヘッドを開示する。ヘッドはまた、ヘッド内に設けられた混成材料を含む。混成材料の一部はゴルフクラブヘッド鋳造の開口部に位置する。
【００１８】
Ｄａｎｉｅｌらの米国特許第１，１６７，３８７号は、シェルボディがアルミニウム合金のような金属から成り、フェイス板がブナ又はパーシモンのような固い木から成る中空ゴルフクラブヘッドを開示する。フェイス板は、木のグレインが打撃板において縦になるように設けられている
Ｇｌｏｖｅｒらの米国特許第３，６９２，３０６号は、ソールを有するブラケット及び不可欠的に形成された打撃板を備えたゴルフクラブヘッドを開示する。少なくとも１つの板は、調整可能な重量手段を取り外し可能に保持するための埋め込まれた延長されたチューブを有する。
【００１９】
Ｌｏの米国特許第５，４１０，７９８号は薄片部材が挿入された金属鋳造を用いた混成ゴルフクラブヘッドの製造方法を開示する。混成材料のシートが薄片部材及び金属鋳造の開口部上に設けられ、双方の頂部において開口部の閉口を解除している。拡張可能なポケットが、ヘッドがモールド中に置かれ加熱された際に金属鋳造に取り付けられる部材となる水、窒化ナトリウム、塩化アンモニウムを含む中空薄片部材中に挿入されている。
【００２０】
Ｔｈｏｍｐｓｏｎの米国特許第４，８７７，２４９号は、キールを有する金属ソール面及び薄片上面を備えたウッドゴルフクラブを開示する。薄片体を補強し、通常ではない強固な物体の衝撃によるディラミネートから本体を維持するために、クラブヘッドのクラウンを通じてボルトが挿入され、キールにおいてソール板と接続し、薄片を圧縮するためにしっかりと締められている。
【００２１】
Ｂｅｌｍｏｎｔの米国特許第３，８９７，０６６号は、取り外し可能な挿入重量調整部材を備えた木製ゴルフクラブヘッドを開示する。当該部材は、フェイス部分からクラブヘッドの後方部分に設けられている中心垂直軸と平行で、トゥ軸へのクラウンと垂直に設けられている。重量調整部材は、ポリウレタン樹脂で満たされているカプセルを用いて設けられており、フェイス板を形成するために用いられる。カプセルは、重量手段を調整するためにアクセスするカバーを備えたクラブヘッドの背面上に開口を有する。
【００２２】
Ｃｌａｒｋの米国特許第２，７５０，１９４号は、重量調整手段を備えた木製ゴルフクラブヘッドを開示する。ゴルフクラブヘッドは、望ましくは鋳造、又はヒール板と共に形成された重量調整手段を保持するために側面及び底面を有するトレー手段を含む。取り付けられた重量手段を有するヒール板が、開口を介してゴルフクラブのヘッド中に挿入されている。
【００２３】
Ｏｋｕｍｏｔｏらの米国特許第５，１９３，８１１号は、主として合成樹脂及び金属ソール板からなる木製クラブヘッド体を開示する。金属ソール板はヒール側上のホーゼルを含むヘッド体形成部材に接着する面、トゥ及び後側におけるウェイト、及びウェイト及びホーゼルと接続しているビームを有する。更には、Ｏｋｕｍｏｔｏらの米国特許第５，５１６，１０７号は、望ましくは合成樹脂から成る外部シェル、クラブヘッドの内部における金属ウエイト部材を有する。泡立ち可能な材料が、コアを形成するためにクラブの中空内部に射出される。泡立ち可能な材料が射出され、ソール板が取り付けられると、クラブヘッドは加熱され、泡立ち材料は拡大し、ウエイト部材を外部シェルの内面に押し入れることにより、ウェイト部材を、トゥ、ヒール、及び／又は後側領域における凹み部に位置づける。
【００２４】
Ｓｕｎの米国特許第４，８７２，６８５号は、木製ゴルフクラブヘッドを開示する。雌ユニットと雄ユニットが合って、単一のゴルフクラブヘッドを形成する。雌ユニットは、ゴルフクラブヘッドの上部を含み、望ましくは、プラスチック、合金又は木から成る。雄ユニットは、ソール板の構造部を含み、打撃板及び重量要素から成るフェイスインサートを含む。雄ユニットは、望ましくは軽金属合金から成るより大きな重量を実質的に有する。両ユニットは、接着又は機械的手段により合わせられる。
【００２５】
Ｋａｔａｙａｍａの米国特許第５，３９８，９３５号は、打撃面を有するウッドゴルフクラブヘッドを開示する。ゴルフクラブヘッドのトゥ端における打撃面の高さは、クラブヘッドの中心における打撃板の高さと等しい又は高い。
【００２６】
Ｍａｔｔｅｒｎの米国特許第１，７８０，６２５号は、マグネシウムのような軽量金属からなる後部を有するクラブヘッドを開示する。Ｂｕｔｃｈａｒｔの米国特許第１，６３８，９１６号は、パーシモン又は類似の木製材料からなるバランス部材と、バランス部材に取り付けられたアルミニウムから成るシェル状ボディを備えるゴルフクラブを開示する。
【００２７】
Ａｎｄｅｒｓｏｎの米国特許第５，０２４，４３７号、米国特許第５，０９４，３８３号、米国特許第５，２５５，９１８号、米国特許第５，２６１，６６３号、及び米国特許第５，２６１，６６４号は、鋳造金属材料から成るフルボディ及び熱鍛造金属材料から成るフェイスインサートを有するゴルフクラブを開示する。
【００２８】
Ｖｉｓｔｅの米国特許第５，２８２，６２４号は、鋳造金属ボディと、厚さが３ｍｍで、フェイスインサートの外面及び内面上に溝が形成された鍛造鋼鉄面インサートとを有するゴルフクラブヘッドを開示する。
【００２９】
Ｒｏｇｅｒｓの米国特許第３，９７０，２３６号は、鋳造鉄体に接着した金属面板インサートフュージョンを備えたアイアンクラブヘッドを開示する。
【００３０】
Ａｉｚａｗａの米国特許第５，２４２，１６８号は、金属フィルム薄層を有する繊維補強樹脂体を有するゴルフクラブヘッド開示する。
【００３１】
Ｙａｍａｄａの米国特許第４，５３５，９９０号は、ポリカーボン又は類似の材料から成るフェイスインサートを有する繊維補強樹脂体を有するゴルフクラブヘッド開示する。
【００３２】
Ａｉｚａｗａの米国特許第５，４６５，９６８号は、ベリリウムフェイス板を有する繊維補強樹脂体を有するゴルフクラブヘッド開示する。
【００３３】
米国ゴルフ協会（ＵＳＧＡ）及びセントアンドリュースのロイヤル・エイシェント・ゴルフクラブによって設けられたゴルフのルールは、ゴルフクラブヘッドに一定の要件を定める。ゴルフクラブヘッドの要件は、規則４及びアペンディックスIIに定められている。ゴルフのルールの詳細はＵＳＧＡのウエブページｗｗｗ．ｕｓｇａ．ｏｒｇで入手可能である。ゴルフのルールにはゴルフクラブフェイスの特定のパラメータにつき明文規定はないが、規則４−１ｅは、フェイスがゴルフボールとのバネ衝撃における効果を有することを禁じている。１９９８年、ＵＳＧＡは、クラブフェイスＣＯＲを測定する規則４−１ｅに従うテスト手続きを採用した。このＵＳＧＡテスト手続きを、クラブフェイスＣＯＲを測定するために採用してもよい。
【特許文献１】米国特許第６，３４４，００２号
【特許文献２】米国特許第６，１４６，５７１号
【特許文献３】米国特許第６，１４９，５３４号
【特許文献４】米国特許第５，５７０，８８６号
【特許文献５】米国特許第５，５４７，４２７号
【特許文献６】米国特許第５，４２５，５３８号
【特許文献７】米国特許第５，３７７，９８６号
【特許文献８】米国特許第５，３１０，１８５号
【特許文献９】米国特許第５，１０６，０９４号
【特許文献１０】米国特許第４，５６８，０８８号
【特許文献１１】米国特許第４，０２１，０４７号
【特許文献１２】米国特許第５，６２４，３３１号
【特許文献１３】米国特許第１，１６７，３８７号
【特許文献１４】米国特許第３，６９２，３０６号
【特許文献１５】米国特許第５，４１０，７９８号
【特許文献１６】米国特許第４，８７７，２４９号
【特許文献１７】米国特許第３，８９７，０６６号
【特許文献１８】米国特許第２，７５０，１９４号
【特許文献１９】米国特許第５，１９３，８１１号
【特許文献２０】米国特許第５，５１６，１０７号
【特許文献２１】米国特許第４，８７２，６８５号
【特許文献２２】米国特許第５，３９８，９３５号
【特許文献２３】米国特許第１，７８０，６２５号
【特許文献２４】米国特許第１，６３８，９１６号
【特許文献２５】米国特許第５，０２４，４３７号
【特許文献２６】米国特許第５，０９４，３８３号
【特許文献２７】米国特許第５，２５５，９１８号
【特許文献２８】米国特許第５，２６１，６６３号
【特許文献２９】米国特許第５，２６１，６６４号
【特許文献３０】米国特許第５，２８２，６２４号
【特許文献３１】米国特許第３，９７０，２３６号
【特許文献３２】米国特許第５，２４２，１６８号
【特許文献３３】米国特許第４，５３５，９９０号
【特許文献３４】米国特許第５，４６５，９６８号
【発明の開示】
【発明が解決しようとする課題】
【００３４】
本発明は、一般的に、クラブヘッドの打撃板に近接して位置づけられた重心、及びクラブヘッドの重心についての比較的高い慣性モーメントＩｙｙを有するゴルフクラブヘッドを提供するものである。
【課題を解決するための手段】
【００３５】
本発明のゴルフクラブヘッドは、中心を外れた打撃に対する一直線な飛行、飛行距離の増加、より安定した感触、及び強固性の増加をもたらす。重心が前壁の近くに位置づけられることは、ギア効果の減少を招き、サイドスピン、分散、ショット曲率を減少し、より一貫したボールの飛行、改善された正確性、距離の増加をもたらす。
【発明を実施するための最良の形態】
【００３６】
本発明は、一般的に、クラブヘッドの打撃板に近接して位置づけられた重心、及びクラブヘッドの重心についての比較的高い慣性モーメントＩｙｙを有するゴルフクラブヘッドを提供するものである。本発明のゴルフクラブヘッドの望ましい実施形態は図１乃至図１５に示されている。本発明のゴルフクラブヘッドの変形例が図１６乃至図２２に示されている。本発明のゴルフクラブヘッドの第２の変形例が図２３乃至図２８に示されている。３つの実施形態が示されているが、当業者は、本発明の範囲及び精神から外れずに本発明のゴルフクラブヘッドの他の実施形態が可能であることを本開示から把握するであろう。
【００３７】
本発明のゴルフクラブヘッド２０は一般的に指定されている。望ましくは、ゴルフクラブヘッドのボディ２２は、クラウン２４、ソール２６、リボン２８、前壁３０、及び中空内部３４を有する。ゴルフクラブヘッド２０は、ヒール端３６、トゥ端３８及びアフト端３７を有する。
【００３８】
ゴルフクラブヘッド２０は、ドライバーとして設計された場合は、望ましくは２００乃至６００立方センチメートル、より望ましくは３００乃至４５０立方センチメートル、最も望ましくは３５０乃至４２０立方センチメートルの容積を有する。ゴルフクラブヘッド２０の容積はまた、ドライバーよりも小さな容積を有するフェアウェイウッド（望ましくは３個のウッドから１１個のウッドの範囲で）間で様々である。
【００３９】
ゴルフクラブヘッド２０は、ドライバーとして設計された場合は、望ましくは２１５グラムを超えない重量、最も望ましくは１８０乃至２１５グラムの重量を有する。ゴルフクラブヘッド２０は、フェアウェイウッドとして設計された場合は、望ましくは１３５乃至１８０グラムの重量、より望ましくは１４０乃至１６５グラムの重量を有する。
【００４０】
図１乃至図１５に示されるように、ゴルフクラブヘッド２０の実施形態は、開口部３２を有する前壁３０及び、望ましくは凹み部３３を有する。打撃板４０は望ましくは、開口部内に設けられる。リボン２８は、打撃板インサート４０の反対側に位置するアフトリセス５２を有する。後重量部材５０は望ましくはアフトリセス５２内に設けられる。望ましい実施形態では、ボディ２２は、望ましくは非金属物質、望ましくは連続的な繊維プリプレグ物質（熱硬化性物質又は熱可塑性樹脂を含む）のような合成物質からなる。ボディ２２の他の物質は、射出可能なプラスチックのような他の熱可塑性物質又は熱硬化性物質を含む。更には、ボディ２２の他の物質は、マグネシウム合金、アルミニウム合金、マグネシウム、アルミニウム又は他の低密度金属を含む。ボディ２２は望ましくは、ブラダー成形、樹脂トランスファー成形、樹脂注入、射出成形、圧縮成形又は類似の工程により製作される。
【００４１】
打撃板インサート４０は、前壁３０の開口部３２において、ボディ２２に取り付けられる。望ましくは、打撃板インサート４０は、前壁３０の凹み部３３において位置づけられ取り付けられる。
【００４２】
打撃板インサート４０は望ましくは、形成された金属物質から成る。しかしながら、打撃板インサート４０は、機械加工された金属物質、鍛造金属物質、鋳造金属物質等から成っていてもよい。打撃板インサート４０は望ましくは、形成されたチタン又は鋼鉄物質から成る。望ましい物質は、熱処理され、窒化チタンでコーティングされた鋼鉄４３４０である。打撃板インサート４０に有益なチタン物質は、純粋なチタン及び６−４チタン合金、
ＳＰ−７００チタン合金（日本・東京の新日本製鉄から入手可能）、日本・東京の大同特殊鋼から入手可能なＤＡＴ５５Ｇチタン合金、オハイオ州のＲＴＩ  Ｉｎｔｅｒｎａｔｉｏｎａｌ  Ｍｅｔａｌｓから入手可能なＴｉ  １０−２−３  ベータ−Ｃチタン合金等のチタン合金を含む。打撃板インサート４０のほかの物質は、他の高強度の鋼鉄合金金属及びアモルファス金属を含む。そのような鋼鉄物質は、ペンシルバニア州のＣａｐｅｎｔｅｒ  Ｓｐｅｃｉａｌｔｙ  Ａｌｌｏｙｓから入手可能なＡＥＲＭＥＴ１００及びＡＥＲＭＥＴ３１０、１７−４ＰＨ、カスタム４５０、４５５、４６５及び４６５＋ステンレス鋼鉄、ノースキャロライナ州のＡｌｌｖａｃから入手可能なＣ３５マレージング鋼鉄を含む。アモルファス金属は、米国特許第５，２８８，３４４に開示されているベリリウムが基礎となった合金、米国特許第５，７３５，９７５に開示されている５元金属ガラス合金、Ｃａｌｃｕｌａｔｉｏｎｓ  ｏｆ  Ａｍｏｒｐｈｏｕｓ−Ｆｏｒｍｉｎｇ  Ｃｏｍｐｏｓｉｔｉｏｎ  Ｒａｎｇｅ  Ｆｏｒ  Ｔｅｒｎａｒｙ  Ａｌｌｏｙ  Ｓｙｓｔｅｍｓ  Ａｎｄ  Ａｎａｌｙｓｅｓ  Ｏｆ  Ｓｔａｂｉｌｉｚａｔｉｏｎ  Ｏｆ  Ａｍｏｒｐｈｏｕｓ  Ｐｈａｓｅ  Ａｎｄ  Ａｍｏｒｐｈｏｕｓ−Ｆｏｒｍｉｎｇ  Ａｂｉｌｉｔｙ，  Ｔａｋｅｕｃｈｉ  ａｎｄ  Ｉｎｏｕｅ，  Ｍａｔｅｒｉａｌｓ  Ｔｒａｎｓａｃｔｉｏｎｓ，  Ｖｏｌ．  ４２，  Ｎｏ．  ７，  ｐ１４３５−１４４４（２００１）に開示されている３元合金、を含む。打撃板インサート４０の外部面４０ａは典型的には、図示を省略する複数のスコアラインを有する。
【００４３】
望ましい実施形態では、打撃板インサート４０は０．０４０乃至０．２５０インチ、望ましくは０．０８０乃至０．１２０インチ、チタン合金の打撃板インサート４０の場合は最も望ましくは０．１０８インチ、ステンレス鋼鉄打撃板インサート４０の場合は望ましくは０．０９０インチの均一の厚さを有する。
【００４４】
打撃板インサート４０は望ましくはボディ２２と共に成形され又はボディ２２の製作後に開口部にプレスフィットされる。別の取り付け工程では、ボディ２２が最初にブラダー成形され、打撃板インサート４０が接着剤を用いて前壁３０の凹み部３３に接着される。接着剤は、凹み部３３の外面に設けられる。このような接着剤は、液体又はフィルム媒体中に熱硬化性接着剤を含む。望ましい接着剤は、ＤＰ４２０ＮＳ及びＤＰ４６０ＮＳというブランドネームで、ミネソタ州ミネアポリスの３Ｍによって販売されている２パート液体エポキシである。他の接着剤として、３Ｍによって販売されているＤＰ８１０ＮＳのような改造されたアクリル液体接着剤がある。或いは、Ｈｙｓｏｌ  Ｓｙｎｓｐａｎのようなフォームテープを本発明に用いてもよい。他の取り付け工程として、ボディ２２を最初にブラダー成形し、打撃板インサート４０を機械的にボディ２２に取り付ける。当業者は、本発明の範囲及び精神から外れずに、打撃板インサート４０のボディ２２への取り付けの他の方法を把握するであろう。
【００４５】
上述のように、望ましい実施形態では、ボディ２２は、米国特許第６，２４８，０２５号のＣｏｍｐｏｓｉｔｅ  Ｇｏｌｆ  Ｈｅａｄ  Ａｎｄ  Ｍｅｔｈｏｄ  Ｏｆ  Ｍａｎｕｆａｃｔｕｒｉｎｇに開示されているように、複数、典型的には６又は７に（望ましくは３乃至２０の範囲に）重ねられたプリプレグから成る。このような実施形態では、クラウン２４、ソール２６及びリボン２８は望ましくは０．０１０乃至０．１００インチの厚さ、より望ましくは０．０２５乃至０．０７０インチの厚さ、更に望ましくは０．０２８乃至０．０４０インチの厚さ、最も望ましくは０．０３３インチの厚さである。前壁３０は望ましくは、クラウン２４、ソール２６及びリボン２８の厚さよりも厚い。前壁３０の厚さは望ましくは、０．０３０乃至０．１５０インチの厚さ、より望ましくは０．０５０乃至０．１００インチの厚さ、更に望ましくは０．０７０乃至０．０９０インチの厚さ、最も望ましくは０．０８０インチの厚さである。
【００４６】
図１１及び図１１Ａは、クラブヘッド２０の中空内部３４を示したものである。図１１及び図１１Ａに示されるように、前壁３０の凹み部３３は打撃板インサート４０の位置付け及び取り付けを支持する開口部３２を包含する。前壁３０は、望ましくは打撃板インサート４０の周辺７７とかみ合う肩部７５を有する。打撃板インサート４０の内面４０ｂの一部が、前壁３０の凹み部３３の外面とかみ合う。前壁３０の凹み部３３の厚さは望ましくは、クラウン２４、ソール２６及びリボン２８の厚さよりも厚い。
【００４７】
図１１Ａに示されるように、ホーゼル５７は、中空内部３４内に設けられ、ヒール端３６の近くに設けられる。ホーゼル５７は、望ましくはアルミニウム材料から成り、望ましくは３乃至１０グラム、より望ましくは４乃至８グラム、最も望ましくは６グラムの重量を有する。或いは、ホーゼル５７は、ウレタン又はＡＢＳ材料のような強ポリマー物質から成る。望ましい実施形態では、図示を省略するシャフトが、クラウンボア５５を介してホーゼル５７内に設けられた図示を省略するホーゼルインサート内に設けられる。このようなホーゼルインサートは、米国特許第６，３５２，４８２号のＧｏｌｆ  Ｃｌｕｂ  Ｗｉｔｈ  Ｈｏｓｅｌ  Ｌｉｎｅｒに開示されている。ホーゼル５７は望ましくは、ホーゼルベース５９内に位置され、ソール２６からクラウン２４へ延出している。しかしながら、当業者は、本発明の範囲及び精神から外れずに、ホーゼルがボディ２２の外側に延出していてもよいことを把握するであろう。
【００４８】
図１１及び図１１Ａには、アフトリセス５２の壁が示されている。アフトリセス５２は望ましくは、アフトリセス突出部５２ａを形成する中空内部３４に延出している。アフトリセス５２は望ましくは、上部リセス壁５４、主リセス壁５６、及び下部リセス壁５８によって定められる。後重量部材５０は、図３に示されるように、アフトリセス５２内に設けられる。
【００４９】
後重量部材５０は望ましくは、スチール、スチール合金、黄銅、タングステン、タングステン合金、又は他の高密度物質のような金属物質からなる。後重量部材５０は、望ましくはボディ２２と共に成形され又はボディ２２の製作後にアフトリセス５２にプレスフィットされる。別の取り付け工程では、ボディ２２が最初にブラダー成形され、後重量部材５０が接着剤を用いてアフトリセス５２に接着される。接着剤は、アフトリセス５２を定める壁部５４、５６及び５８の外面に設けられる。このような接着剤は、液体又はフィルム媒体中に熱硬化性接着剤を含む。望ましい接着剤は、ＤＰ４２０ＮＳ及びＤＰ４６０ＮＳというブランドネームで、ミネソタ州ミネアポリスの３Ｍによって販売されている２パート液体エポキシである。他の接着剤として、３Ｍによって販売されているＤＰ８１０ＮＳのような改造されたアクリル液体接着剤がある。或いは、Ｈｙｓｏｌ  Ｓｙｎｓｐａｎのようなフォームテープを本発明に用いてもよい。他の取り付け工程として、ボディ２２を最初にブラダー成形し、後重量部材５０を機械的にアフトリセス５２に取り付ける。当業者は、本発明の範囲及び精神から外れずに、後重量部材５０のアフトリセス５２への取り付けの他の方法を把握するであろう。
【００５０】
本発明のゴルフクラブヘッドの変形例が図１６乃至図２２に示されている。この実施形態では、クラブヘッド２０は一般的には２つのコンポーネント、即ち、フェイスコンポーネント６０及びアフトボディ６１から成る。そのようなゴルフクラブヘッド２０は、本願の譲渡人に譲渡された２００２年１１月２６日に出願された米国特許出願番号第１０／０６５，８７１のＭｕｌｔｉｐｌｅ  Ｍａｔｅｒａｌ  Ｇｏｌｆ  Ｃｌｕｂ  Ｈｅａｄに示されている。アフトボディ６１は、クラウン部６２及びソール部６４を有する。クラブヘッド２０は、望ましくはヒール端３６、ヒール部分３６と反対側のトゥ端３８、フェイスコンポーネント６０と反対側のアフト端３７に区分けされる。ソール重量は望ましくは、ソール部のソール・アンダーカット部１３３ａ内に設けられる。ソール重量部材は０．５乃至１５グラムの範囲の重量を有する。
【００５１】
フェイスコンポーネント６０は、一般的には単一の金属片から成り、望ましくは鍛造金属材料から成る。そのようなチタン物質は、純粋なチタン及び６−４チタン合金、ＳＰ−７００チタン合金（日本・東京の新日本製鉄から入手可能）、日本・東京の大同特殊鋼から入手可能なＤＡＴ５５Ｇチタン合金、オハイオ州のＲＴＩ  Ｉｎｔｅｒｎａｔｉｏｎａｌ  Ｍｅｔａｌｓから入手可能なＴｉ  １０−２−３  ベータ−Ｃチタン合金等のチタン合金を含む。フェイスコンポーネント６０のほかの物質は、ステンレス鋼鉄、他の高強度の鋼鉄合金金属及びアモルファス金属を含む。或いは、フェイスコンポーネント６０は、鋳造、形成、機械加工処理、粉末金属形成、金属射出成形、電解加工等によって製造される。
【００５２】
フェイスコンポーネント６０は一般的には、打撃板部（フェイス板ともいう）７２及び打撃板部７２の周囲から横から内側に延出しているリターン部７４を含む。打撃板部７２は典型的には、複数のスコアライン７５を有する。
【００５３】
望ましい実施形態では、リターン部７４は一般的には上側部７６、ソール延出９５を有する下側部７８、ヒール側部８０及びトゥ側部８２を有する。このように、リターン７４は望ましくは、打撃板部７２を３６０度囲んでいる。しかしながら、リターン部７４が、２７０度、１８０度のような打撃板部７２の一部だけを囲んでもよいこと及び非継続的であってもよいことを認識するであろう。
【００５４】
上側部７６は、内側にアフトボディ６１に向かって予め定められた長さｄ延出し、クラウン６２とかみあっている。望ましい実施形態では、予め定められた長さである打撃板部７２の周囲部７３から上側部７６の長さは、０．２乃至１．０インチ、望ましくは０．４０乃至０．７５インチ、最も望ましくは０．６８インチである。望ましい実施形態得では、上側部７６はヒール部６６からトゥ部６８への一般的な湾曲を有している。上側部７６は、打撃板部７２の周囲部７３からの長さ、望ましくは、打撃板部７２の中心近くで最小長さであり、トゥ部６８及びヒール部６６に向かって増加する長さを有する。
【００５５】
打撃板部７２の周囲部７３は、フェイスコンポーネント６０が打撃板部７２と実質的に平行な面から打撃板部７２と実質的に垂直な面へと移行する移行点として定められる。或いは、移行点を定めるための１つの方法は、打撃板部７２と平行な面をとり、打撃板部７２と垂直な面をとり、そして、当該平行な面及び垂直な面と４５度の面をとることである。４５度の面がフェイスコンポーネントと接触する面が移行点であり、打撃板部７２の周囲を定める。
【００５６】
本発明は望ましくは、実質的に水平な面に沿ってクラウン６２とかみあうフェイスコンポーネント６０を有する。クラウン６２は、リターン部７４の下に位置するクラウンアンダーカット部６２ａを有する。このようなかみあいにより、打撃板部７２が大きな反発係数を有することができる。クラウン６２及び上側部７６は、後述するように互いに接合している。
【００５７】
ヒール側部８０は、実質的に打撃板部７２と垂直であり、ヒール側部８０はアフトボディ６１のソール部６４の底部９１と任意のリボン部９０とかみ合う前に前にホーゼル５７を被覆する。後述するように、ヒール側部８０がソール６４、即ち、リボン９０及び底部９１の双方に取り付けられている。ヒール側部８０は、周囲７３から長さｄ”、０．２５０乃至１．５０インチ、望ましくは０．５０乃至１．０インチ、最も望ましくは０．９５０インチ内側に延出している。ヒール側部８０は望ましくはその端において一般的な曲面を有する。
【００５８】
トゥ側部８２が、フェイスコンポーネント６０の他端に設けられている。後述するように、トゥ側部８２がソール６４、即ち、リボン９０及び底部９１の双方に取り付けられている。トゥ側部８２は、周囲７３から長さｄ’’’、０．２５０乃至１．５０インチ、望ましくは０．７５乃至１．３０インチ、最も望ましくは１．２０インチ内側に延出している。ヒール側部８０は望ましくはその端において一般的な曲面を有する。
【００５９】
下側部７８は、内側にアフトボディ６１に向かって予め定められた長さｄ’延出し、ソール６４とかみあっている。ソール延出９５が、望ましくはクラブヘッド２０のソールの保護として機能するために長さｄｓ更に内側に延出している。望ましい実施形態では、長さｄ’である打撃板部７２の周囲部７３から下側部７８の長さは、０．２乃至１．２５インチ、望ましくは０．５０乃至１．１０インチ、最も望ましくは０．９インチである。望ましい実施形態では、長さｄｓである下側部７８からソール延出９５の頂点の長さは、０．２乃至３．０インチ、望ましくは０．５０乃至２．０インチ、最も望ましくは１．５０インチである。望ましい実施形態では、ソール延出９５は、マイナーな頂点９９を有する三角形状である。別の実施形態では、図示を省略するが、ソール延出９５は三日月形状を有する。更に別の実施形態では、図示を省略するが、ソール延出９５は矩形形状を有し、リボン９０へ延出している。当業者は、本発明の範囲及び精神から外れずに、ソール延出９５が様々な形状及び大木さんを有してもよいことを把握するであろう。
【００６０】
ソール部６４は、リターン部に位置するためにソールアンダーカット６４ａを有する。ソール延出９５は、ソールアンダーカット延出６４ａａ内に設けられている。後述するように、ソール６４及び下側側部７８と、ヒール側部８０とトゥ側部８２は互いに取り付けられている。
【００６１】
アフトボディ６１は望ましくは、非金属物質、望ましくは連続的な繊維プリプレグ物質（熱硬化性物質又は熱可塑性樹脂を含む）のような合成物質からなる。アフトボディ６１の他の物質は、射出可能なプラスチックのような他の熱可塑性物質又は熱硬化性物質を含む。更には、アフトボディ６１の他の物質は、マグネシウム合金、アルミニウム合金、マグネシウム、アルミニウム又は他の低密度金属を含む。アフトボディ６１は望ましくは、ブラダー成形、樹脂トランスファー成形、樹脂注入、射出成形、圧縮成形又は類似の工程により製作される。望ましい工程では、フェイスコンポーネント６０は、リターン部の内部面における接着剤により、ブラダー成形のためのアフトボディ６１のプレフォームと共にモールド内に設けられる。リターン部７４はアンダーカット部６２ａ及び６４ａ内に位置しフィットされる。また、接着剤が、アンダーカット部６２ａ及び６４ａ上に設けられてもよい。このような接着剤は、液体又はフィルム媒体中に熱硬化性接着剤を含む。望ましい接着剤は、ＤＰ４２０ＮＳ及びＤＰ４６０ＮＳというブランドネームで、ミネソタ州ミネアポリスの３Ｍによって販売されている２パート液体エポキシである。他の接着剤として、３Ｍによって販売されているＤＰ８１０ＮＳのような改造されたアクリル液体接着剤がある。或いは、Ｈｙｓｏｌ  Ｓｙｎｓｐａｎのようなフォームテープを本発明に用いてもよい。
【００６２】
ブラダーがフェイスコンポーネント６０及びプレフォームの中空内部内に設けられ、加熱対象のモールド内で圧力が加えられる。共モールド工程は、アフトボディ６１をフェイスコンポーネント６０に固定する。或いは、アフトボディ６１は、接着剤を用いてフェイスコンポーネント６０に接着され又はリターン部７４に機械的に固定される。
【００６３】
図２１及び図２２に示されるように、リターン部７４は、０．２５乃至１．００インチ、望ましくは０．４０乃至０．７０インチ、最も望ましくは０．５０インチの長さＬｏ、アンダーカット部６２ａ及び６４ａと重なる。環状ギャップ１７０が、クラウン部６２及びソール部６４の端１９０とリターン部７４の端１９５に形成されている。環状ギャップ１７０は望ましくは、０．０２０乃至０．１００インチ、より望ましくは０．０５０乃至０．０７０インチ、最も望ましくは０．０６０インチの長さＬｇを有する。アンダーカット部６２ａ及び６４ａからの突出部１７５は、リターン部７４の内部表面とアンダーカット部６２ａ及び６４ａの上面との間に最小接着厚さを形成している。ボンド厚さは、望ましくは、０．００２乃至０．１００インチ、より望ましくは０．００５乃至０．０４０インチ、最も望ましくは０．０３０インチである。望ましくは、液体接着剤２００がアフトボディ６１をフェイスコンポーネント６０に固着する。アンダーカット部６２ａ及び６４ａのリーディングエッジ１８０が、液体接着剤が中空内部４６に入ることを防止する。
【００６４】
アフトボディ６１のクラウン部６２は、一般的にはソール６４に向かって凸状であり、フェイスコンポーネント６０とのかみ合いの外部においてソール６４のリボン９０とかみ合っている。クラウン部６２は、望ましくは、０．０１０乃至０．１００インチ、より望ましくは０．０２５乃至０．０７０インチ、更に望ましくは０．０２８乃至０．０４０インチ、最も望ましくは０．０３３インチである。底部９１と実質的に垂直な任意のリボン９０及び前記底部９１を含むソール部６４は、望ましくは０．０１０乃至０．１００インチ、より望ましくは０．０２５乃至０．０７０インチ、更に望ましくは０．０２８乃至０．０４０インチ、最も望ましくは０．０３３インチである。アンダーカット部６２ａ、６４ａ、６４ａａ、及び１３３ａは、ソール部６４及びクラウン部６２に近似した厚さを有する。望ましい実施形態では、アフトボディ６１は、米国特許第６，２４８，０２５号のＣｏｍｐｏｓｉｔｅ  Ｇｏｌｆ  Ｈｅａｄ  Ａｎｄ  Ｍｅｔｈｏｄ  Ｏｆ  Ｍａｎｕｆａｃｔｕｒｉｎｇに開示されているように、複数、典型的には６又は７に重ねられたプリプレグから成る。底部９１は一般的には、クラウン部６２に向かった凸状である。任意のブラッダー部１３５は、ソールアンダーカット部６４ａ中に位置する。
【００６５】
図２１に示すように、重量部材１２２は、望ましくはクラブヘッド２０の中空内部３４内に位置している。重量部材１２２は、１９９９年１２月２９日に出願された米国特許第６，３８６，９９０号のインテグラル重量ストリップを有する合成ゴルフクラブヘッドに記載されているようなタングステン積載フィルム、タングステンドープポリマー又は類似の重要機構である。当業者は、本発明の範囲及び精神から外れずに、任意の重量部材として他の高密度材料を用いてもよいことを把握するであろう。
【００６６】
本発明のゴルフクラブヘッドの別の変形例が図２３乃至図２８に示されている。この実施形態では、クラブヘッド２０は、望ましくはチタン、チタン合金等の金属材料からなり、最も望ましくは鋳造チタン合金材料から成るボディ２２を有する。鋳造チタン合金から成るボディ２２を有するドライバーのゴルフクラブヘッド２０は、最も望ましくは３８０立方センチメートルの容積を有する。ボディ２２は望ましくは、周知のロストワックス法のような方法で溶融金属から鋳造される。鋳造のための金属は望ましくは、チタン、鍛造用の６−４チタン合金、アルファ−ベータチタン合金又はベータチタン合金、及び鋳造用の６−４チタン合金のようなチタン合金である。ボディ２２の製造の追加的な方法は、平坦な金属シートからボディ２２を形成すること、平坦な金属シートからボディ２２を超プラスチック形成すること、固体金属ブロックからボディ２２を機械加工すること、鍛造プリフォームからボディを電解加工すること、遠心鋳造によりボディを鋳造すること、レビテーション鋳造によりボディを鋳造すること、及び類似の製造方法を含む。
【００６７】
本実施形態のゴルフクラブヘッド２０は、２００２年１１月１２日に出願された米国特許出願第１０／０６５，７１２号のフェイスインサートを有するゴルフクラブヘッドに開示されているような打撃板インサート４０の配置のための開口部３２を有する前壁３０を有する。打撃板インサート４０は、望ましくは、形成されたチタン合金材料から成る。望ましいチタン材料は、オハイオ州のＲＴＩ  Ｉｎｔｅｒｎａｔｉｏｎａｌ  Ｍｅｔａｌｓから入手可能な６−２２−２２チタン合金、Ｔｉ  １０−２−３合金、ベータ−Ｃチタン合金等のチタン合金、ＳＰ−７００チタン合金（日本・東京の新日本製鉄から入手可能）、日本・東京の大同特殊鋼から入手可能なＤＡＴ５５Ｇチタン合金等を含む。打撃板インサート４０の望ましい物質は、熱処理された６−２２−２２チタン合金であり、これは、チタン、６％のアルミニウム、２％のスズ、２％のクロム、２％のモリブデン、２％のジクロニウム、及び０．２３％のシリコンの重量から成るチタン合金である。チタン合金は、全微細構造の４０％を超えるアルファ相を有する。
【００６８】
望ましい実施形態では、打撃板インサート４０は、チタン合金打撃板インサート４０として、望ましくは０．０４０乃至０．２５０インチ、より望ましくは０．０８０乃至０．１２０インチ、最も望ましくは０．１０８インチの均一な厚さを有する。
【００６９】
本発明のゴルフクラブヘッド２０は、ボールの飛行の長い距離をもたらすために高反発係数を有することである。反発係数（以下では「ＣＯＲ」という）は以下の式で定められる：
【００７０】
【数１】
2007500066.tif 000003
ここで、Ｕ１は衝撃前のクラブヘッドの速度を示し、Ｕ２は衝撃前のボルフボールの速度、即ちゼロを示し、ν１はゴルフボールがクラブヘッドのフェイスから離れた後のクラブヘッドの速度を示し、ν２はゴルフボールがクラブヘッドのフェイスから離れた後のゴルフボールの速度を示し、ｅはゴルフボールとクラブフェイスコンポーネント６０の間の反発係数を示す。
【００７１】
エネルギ付加の無いシステムでは、ｅの値はゼロと１の間に制限される。粘度又はパテのような物質であり、変形の結果としてエネルギ損失の無い完全な弾性物質では、ｅの値は１である。ゴルフクラブヘッド２０は望ましくは、従来のテスト状態下での計測では、０．８０乃至０．９４の範囲の反発係数を有する。
【００７２】
本発明のクラブヘッド２０の反発係数は、標準のＵＳＧＡテスト状況下では、望ましくは約０．８０乃至０．９４、より望ましくは０．８２乃至０．８９、最も望ましくは０．８６である。
【００７３】
望ましくは、打撃板インサート４０は、望ましくは４０乃至９０グラムの重量、より望ましくは５０乃至８０グラムの重量、更に望ましくは５５乃至７５グラムの重量、最も望ましくは６５グラムの重量、を有する。図１乃至図１５の望ましい実施形態では、ボディ２２（重量部なし）は、望ましくは３０乃至１００グラムの重量、より望ましくは４０乃至９０グラムの重量、更に望ましくは６０乃至８０グラムの重量、最も望ましくは７０グラムの重量、を有する。アフト重量部材５０は、望ましくは３０乃至９０グラムの重量、より望ましくは４０乃至７０グラムの重量、最も望ましくは５５グラムの重量を有する。ホーゼル５７は、望ましくは３乃至１０グラムの重量、より望ましくは４乃至８グラムの重量、最も望ましくは６グラムの重量を有する。更には、０．５乃至５グラムの範囲の量で、エポキシ等の流動可能物質がゴルフクラブヘッド２０の中空内部３４に選択的重量のために射出されてもよい。
【００７４】
図１２及び図１３に示されるように、前壁３０からクラウン２４のアフト端３７までのクラブヘッド２０の深さ「Ｄ」は、望ましくは３．０インチ乃至４．５インチであり、最も望ましくは３．７４インチである。アドレス一におけるソール２６からクラウン２４において測定されたクラブヘッド２０の高さ「Ｈ」は、２．０インチ乃至３．５インチであり、最も望ましくは２．６２インチである。トゥ端３８からヒール端３６までのクラブヘッド２０の厚さ「Ｗ」は望ましくは４．０インチ乃至５．５インチであり、最も望ましくは４．５７インチである。打撃板インサート４０の高さ「ｈ」は、１．８インチ乃至２．５インチであり、最も望ましくは２．０８インチである。打撃板インサート４０の厚さ「ｗ」は、３．０インチ乃至５．０インチであり、最も望ましくは３．５２インチである。
【００７５】
図１４及び図１５は、ゴルフクラブヘッドの重心を通った慣性軸を示す。慣性軸は、Ｘ、Ｙ、及びＺとして示されている。Ｘ軸は、打撃板インサート４０から重心ＣＧを通ってゴルフクラブヘッド２０の後まで延出している。Ｙ軸は、ゴルフクラブヘッド２０のトゥ端３８から重心ＣＧを通ってゴルフクラブヘッド２０のヒール端３８まで延出している。Ｚ軸は、クラウン２４から重心ＣＧを通ってソール２６まで延出している。
【００７６】
Ｒａｌｐｈ  ＭａｌｔｂｙによるＧｏｌｆ  Ｃｌｕｂ  Ｄｅｓｉｇｎ，  Ｆｉｔｔｉｎｇ，  Ａｌｔｅｒａｔｉｏｎ  ＆  Ｒｅｐａｉｒ  ４版で定められているように、ゴルフクラブヘッドの重心又は重量の中心は、クラブヘッドがつるされたときに平衡状態にある２つ以上の点の垂直な交差によって定められるクラブヘッドの内部にある点である。重心のこの定義の詳細な説明は、Ｇｏｌｆ  Ｃｌｕｂ  Ｄｅｓｉｇｎ，  Ｆｉｔｔｉｎｇ，  Ａｌｔｅｒａｔｉｏｎ  ＆  Ｒｅｐａｉｒに記載されている。
【００７７】
ゴルフクラブヘッド２０の慣性モーメント及び重心は、望ましくは、テストフレーム（ＸＴ、ＹＴ、ＺＴ）を用いて計測し、ヘッドフレーム（ＸＨ、ＹＨ、ＺＨ）へ変形させられる。ゴルフクラブヘッドの重心は、２００１年２月２７日に出願され係属中の米国特許出願第０９／７９６，９５１号のＭｏｍｅｎｔ  Ｏｆ  Ｉｎｅｒｔｉａ  Ｃｏｍｐｏｓｉｔｅ  Ｇｏｌｆ  Ｃｌｕｂに開示されている２つの重量スケールを有する重心表を用いて得てもよい。シャフトが在る場合には、それを取り除き、ゴルフクラブヘッドの軸に垂直な多数の面を有するホーゼル立方体に取って代えている。ゴルフクラブヘッドの重量が与えられ、ゴルフクラブヘッドが同時に両方のスケールに置かれ、Ｘ、Ｙ又はＺ方向という特定の方向に沿って重さを量った場合に、ゴルフクラブヘッドの重さ分布が決定される。
【００７８】
一般的には、本発明のゴルフクラブヘッド２０のＺ軸における慣性モーメントＩｚｚは、２８００ｇ−ｃｍ２乃至５０００ｇ−ｃｍ２であり、望ましくは３０００ｇ−ｃｍ２乃至４５００ｇ−ｃｍ２であり、更に望ましくは３２００ｇ−ｃｍ２乃至４０００ｇ−ｃｍ２であり、最も望ましくは３７５８ｇ−ｃｍ２である。本発明のゴルフクラブヘッド２０のＹ軸における慣性モーメントＩｙｙは、１５００ｇ−ｃｍ２乃至４０００ｇ−ｃｍ２であり、望ましくは２５００ｇ−ｃｍ２乃至３４００ｇ−ｃｍ２であり、更に望ましくは２９００ｇ−ｃｍ２乃至３１００ｇ−ｃｍ２であり、最も望ましくは３００３ｇ−ｃｍ２である。更には、本発明のゴルフクラブヘッド２０は、２００１年７月２６日に出願された米国特許第６，４２５，８３２号に開示されているような良好な慣性結果を有する。
【００７９】
【表１】
2007500066.tif 000004
表１は、図１乃至図１５に図示された第１の実施の形態のゴルフクラブヘッドについての計測を示したものである。表１のフェイス重量は打撃板インサート４０の重量を示す。バット重量は後重量部材５０の重量を示す。ボディ重量はボディ２２の重量を示す。ゴルフクラブヘッドの重心についての慣性モーメントＩｙｙは、上述のように係属される。重心は、ゴルフクラブヘッド２０の打撃板（又はフェイス）４０の内部面から計測される。図２９又は図３０に示すように、重心ゾーン１００は、ゴルフクラブヘッド２０の全打撃板４０（又は前壁又はフェイス）から後方へのゾーンとして定められる。例えば、打撃板４０の内部表面から１．４０インチ以内に位置する重心は、打撃板４０の胴及びロールに続く打撃板４０の内部表面から１．４０インチ後方の容積を含む。このように、ＣＧゾーン１００の端に沿った点Ｐ１−Ｐ４は打撃板４０の内部表面からの線に沿った１．４０インチである。前記線は、打撃板４０の内部表面に垂直である。或いは、図３１又は３２に示すように、ＣＧゾーンは、打撃板４０の内部表面から特定の範囲内にある。例えば、図３１及び図３２において、その範囲は、打撃板４０の内部表面から０．７５乃至１．４０インチである。
【００８０】
図２は、ゴルフクラブヘッドの重心についての慣性モーメントＩｙｙ、重心位置、重量、体積の比較例である。
【００８１】
【表２】
2007500066.tif 000005
図３３は、ゴルフクラブヘッドの重心についての慣性モーメントＩｙｙとゴルフクラブヘッドの打撃板の内部表面からの重心の位置の関係を示したグラフである。線５００は、本発明のゴルフクラブヘッドを他のゴルフクラブヘッドから区別する関数Ｙ＝ｆ（Ｘ）＋ｂを示す。
【００８２】
本発明のある観点は、打撃板の内部表面から１．２０インチ未満に位置する重心及び２５００ｇｃｍ２よりも大きなゴルフクラブヘッドの重心を通るＩｙｙ軸についての慣性モーメントを有するゴルフクラブヘッド２０を提供することである。
【００８３】
本発明の別の観点は、打撃板の内部表面から１．１０インチ未満に位置する重心及び２１００ｇｃｍ２よりも大きなゴルフクラブヘッドの重心を通るＩｙｙ軸についての慣性モーメントを有するゴルフクラブヘッド２０を提供することである。
【００８４】
本発明の別の観点は、打撃板の内部表面から１．４７インチ未満に位置する重心及び２５５０ｇｃｍ２よりも大きなゴルフクラブヘッドの重心を通るＩｙｙ軸についての慣性モーメントを有するゴルフクラブヘッド２０を提供することである。
【００８５】
本発明の別の観点は、打撃板の内部表面から１．０５インチ未満に位置する重心及び１６００ｇｃｍ２よりも大きなゴルフクラブヘッドの重心を通るＩｙｙ軸についての慣性モーメントを有するゴルフクラブヘッド２０を提供することである。
【００８６】
本発明の別の観点は、打撃板の内部表面から０．０５乃至１．０５インチの範囲に位置する重心及び１６００乃至３０００ｇｃｍ２の範囲にあるゴルフクラブヘッドの重心を通るＩｙｙ軸についての慣性モーメントを有するゴルフクラブヘッド２０を提供することである。
【００８７】
本発明の別の観点は、打撃板の内部表面から０．５０乃至１．４７インチの範囲に位置する重心及び２５５０乃至３２００ｇｃｍ２の範囲にあるゴルフクラブヘッドの重心を通るＩｙｙ軸についての慣性モーメントを有するゴルフクラブヘッド２０を提供することである。
【００８８】
本発明の別の観点は、打撃板の内部表面から０．７５乃至１．１０インチの範囲に位置する重心及び２１００乃至２８００ｇｃｍ２の範囲にあるゴルフクラブヘッドの重心を通るＩｙｙ軸についての慣性モーメントを有するゴルフクラブヘッド２０を提供することである。
【図面の簡単な説明】
【００８９】
【図１】本発明のゴルフクラブの上方から見た分解斜視図である。
【図２】本発明のゴルフクラブヘッドの正面図である。
【図３】図１のゴルフクラブヘッドの背面図である。
【図４】図１のゴルフクラブヘッドのトゥー側面図である。
【図５】図１のゴルフクラブヘッドの底面図である。
【図６】図１のゴルフクラブヘッドの平面図である。
【図７】図１のゴルフクラブヘッドのヒール側面図である。
【図８】本発明のゴルフクラブヘッドの分解斜視図である。
【図９】本発明のゴルフクラブの上方から見た分解斜視図である。
【図１０】打撃板インサートを除く、本発明のゴルフクラブヘッドのボディの斜視図である。
【図１１】打撃板インサートを除く、本発明のゴルフクラブヘッドのボディの正面図である。
【図１１Ａ】図１１の線Ａ−Ａに沿った断面図である。
【図１２】本発明のゴルフクラブヘッドの平面図である。
【図１３】本発明のゴルフクラブヘッドの正面図である。
【図１４】Ｚ軸及びＹ軸を図示した本発明のゴルフクラブの正面図である。
【図１５】Ｚ軸及びＸ軸を図示した本発明のゴルフクラブのヒール側面図である。
【図１６】本発明のゴルフクラブヘッドの他の実施形態における正面図である。
【図１７】図１６のゴルフクラブヘッドのトゥー側面図である。
【図１８】図１６のゴルフクラブヘッドのヒール側面図である。
【図１９】図１６のゴルフクラブヘッドの平面図である。
【図２０】図１６のゴルフクラブヘッドの底面図である。
【図２１】図１９の線２１−２１に沿った断面図である。
【図２２】図２１の円Ａの分離拡大図である。
【図２３】本発明のゴルフクラブヘッドの更に別の実施形態における正面図である。
【図２４】図２３のゴルフクラブヘッドの平面図である。
【図２５】図２３のゴルフクラブヘッドのヒール側面図である。
【図２６】図２３のゴルフクラブヘッドのトゥー側面図である。
【図２７】図２３のゴルフクラブヘッドの底面図である。
【図２８】図２３のゴルフクラブヘッドの後方から見た斜視図である。
【図２９】ＣＧゾーンを図示した本発明のゴルフクラブヘッドの平面図である。
【図３０】ＣＧゾーンを図示した図２９のゴルフクラブヘッドのヒール側面図である。
【図３１】ＣＧゾーンの別の実施形態を図示した本発明のゴルフクラブヘッドの平面図である。
【図３２】ＣＧゾーンの別の実施形態を図示した図３１のゴルフクラブヘッドのヒール側面図である。
【図３３】重心深さに対するＩｙｙのグラフである。
【図１】
2007500066.tif 000006
【図２】
2007500066.tif 000007
【図３】
2007500066.tif 000008
【図４】
2007500066.tif 000009
【図５】
2007500066.tif 000010
【図６】
2007500066.tif 000011
【図７】
2007500066.tif 000012
【図８】
2007500066.tif 000013
【図９】
2007500066.tif 000014
【図１０】
2007500066.tif 000015
【図１１】
2007500066.tif 000016
【図１１Ａ】
2007500066.tif 000017
【図１２】
2007500066.tif 000018
【図１３】
2007500066.tif 000019
【図１４】
2007500066.tif 000020
【図１５】
2007500066.tif 000021
【図１６】
2007500066.tif 000022
【図１７】
2007500066.tif 000023
【図１８】
2007500066.tif 000024
【図１９】
2007500066.tif 000025
【図２０】
2007500066.tif 000026
【図２１】
2007500066.tif 000027
【図２２】
2007500066.tif 000028
【図２３】
2007500066.tif 000029
【図２４】
2007500066.tif 000030
【図２５】
2007500066.tif 000031
【図２６】
2007500066.tif 000032
【図２７】
2007500066.tif 000033
【図２８】
2007500066.tif 000034
【図２９】
2007500066.tif 000035
【図３０】
2007500066.tif 000036
【図３１】
2007500066.tif 000037
【図３２】
2007500066.tif 000038
【図３３】
2007500066.tif 000039
【国際調査報告】
2007500066.tif 000040
2007500066.tif 000041